(57)【要約】【課題】美しくなるための指針を視覚的に表示できるようにした美容指針提示方法、記録媒体及び美容指針提示システムを提供する。【解決手段】顔の、上唇の上端から下端までの距離と下唇の上端から下端までの距離の比、眼の中心から顎の下端までの距離と毛髪の生え際から顎の下端までの距離の比、左の小鼻から右の小鼻までの距離と左の口角から右の口角までの距離の比、・・・等、顔の縦方向または横方向の各種比率を求めるに際し、顔画像データをコンピュータに入力して顔画像をモニタに表示し、前記各種比率を求めるための演算軸線を顔画像に重ねて描画し、描画した演算軸線のモニタ上の位置情報に基づいて比率を演算し、演算結果を出力し、前記演算軸線を理想的な比率の位置に移動表示して、美しくなるための指針とする。【選択図】    図３
2005062960.tif 000002
【特許請求の範囲】
【請求項１】
顔の、上唇の上端から下端までの距離と下唇の上端から下端までの距離の比、眼の中心から顎の下端までの距離と毛髪の生え際から顎の下端までの距離の比、左の小鼻から右の小鼻までの距離と左の口角から右の口角までの距離の比、・・・等、顔の縦方向または横方向の各種比率を求めるに際し、
顔画像データをコンピュータに入力して顔画像をモニタに表示し、
前記各種比率を求めるための演算軸線を顔画像に重ねて描画し、
描画した演算軸線のモニタ上の位置情報に基づいて比率を演算し、
演算結果を出力し、
前記演算軸線を理想的な比率の位置に移動表示して、
美しくなるための指針とすることを特徴とする美容指針提示方法。
【請求項２】
請求項１の美容指針提示方法の処理手順をコンピュータが実行するためのプログラムを記録した記録媒体であって、
顔画像データを取り込んで顔画像をモニタに表示する処理手順と、
演算軸線を顔画像に重ねて描画する処理手順と、
演算軸線のモニタ上の位置情報に基づいて比率を演算する処理手順と、
演算結果を出力する処理手順と、
演算軸線を理想的な比率の位置に移動表示する処理手順と、
をコンピュータが実行するためのプログラムが記録されている記録媒体。
【請求項３】
記録媒体に記録されたプログラムを実行するコンピュータと、顔画像をコンピュータに入力する手段とを備えており、前記プログラムが請求項２の処理手順を含んでいることを特徴とする美容指針提示システム。
【発明の詳細な説明】
【０００１】
【発明の属する技術分野】
この発明は、美容指針を提示する方法、この方法をコンピュータが実行するためのプログラムを記録した記録媒体及び美容指針を提示するシステムに関する。顔の化粧の分野の他、美容整形の分野や歯科矯正の分野で利用することができる。
【０００２】
【従来の技術】
従来、例えば、上唇と下唇の比率は、美容界における黄金分割、即ち１：１．６１８である時に最も美しいことを伝えるとされている。このような理想の比率を化粧によって実現する場合、従来はデバイダのような計測器具を用いて測定して、測定された値に基づいて美しくなるための指針を口頭で提供している。
【０００３】
【発明が解決しようとする課題】
しかしながら、デバイダのような計測器具による測定では正確性に欠け、また、そのような測定による値に基づく指針では、視覚上の具体性に欠けるものであった。
【０００４】
この発明は、このような問題点に鑑みてなされたもので、美しくなるための指針を視覚的に表示できるようにした美容指針提示方法、記録媒体及び美容指針提示システムを提供することを目的としている。
【０００５】
【課題を解決するための手段】
このような目的のもとになされたこの発明の美容指針提示方法（請求項１）は、顔の、上唇の上端から下端までの距離と下唇の上端から下端までの距離の比、眼の中心から顎の下端までの距離と毛髪の生え際から顎の下端までの距離の比、左の小鼻から右の小鼻までの距離と左の口角から右の口角までの距離の比、・・・等、顔の縦方向または横方向の各種比率を求めるに際し、
顔画像データをコンピュータに入力して顔画像をモニタに表示し、
前記各種比率を求めるための演算軸線を顔画像に重ねて描画し、
描画した演算軸線のモニタ上の位置情報に基づいて比率を演算し、
演算結果を出力し、
前記演算軸線を理想的な比率の位置に移動表示して、
美しくなるための指針とすることを特徴とする美容指針提示方法である。
【０００６】
また、この発明の記録媒体（請求項２）は、請求項１の美容指針提示方法の処理手順をコンピュータが実行するためのプログラムを記録した記録媒体であって、顔画像データを取り込んで顔画像をモニタに表示する処理手順と、
演算軸線を顔画像に重ねて描画する処理手順と、
演算軸線のモニタ上の位置情報に基づいて比率を演算する処理手順と、
演算結果を出力する処理手順と、
演算軸線を理想的な比率の位置に移動表示する処理手順と、
をコンピュータが実行するためのプログラムが記録されている記録媒体である。
【０００７】
更に、この発明の美容指針提示システム（請求項３）は、記録媒体に記録されたプログラムを実行するコンピュータと、顔画像をコンピュータに入力する手段とを備えており、前記プログラムが請求項２の処理手順を含んでいることを特徴とする美容指針提示システムである。
【０００８】
【作用】
このように構成されるこの発明によれば、顔画像をコンピュータのモニタ上に表示し、顔の縦方向または横方向の各種比率も顔画像が表示されたモニタ上で演算するので正確な測定が可能である。また、美しくなるための指針もモニタ上で表示するので視覚上具体的であり、有効な情報を与えることができる。
【０００９】
【発明の実施の形態】
以下、この発明の実施の形態を図を参照しながら説明する。
【００１０】
図１は、実施形態の美容指針提示システムの構成を示している。パーソナルコンピュータ（以下、コンピュータという）１０と、顔画像データをコンピュータ１０に入力する手段であるデジカメ２０と、ＲＯＭ３０とで構成されている。デジカメ２０は、顔画像データをデジタル情報として入力する手段であって、アナログ写真のデータを取り込むスキャナとしても良い。ＲＯＭ３０は、この発明の美容指針提示方法の処理手順をコンピュータ１０が実行するためのプログラムが記録された記録媒体であって、ＣＤ、ＤＶＤ、フレキシブルディスクなどの各種記録媒体のうちの何れかとすることができる。
【００１１】
美容指針提示方法を実施するに当たっては、ＲＯＭ３０に記録されたプログラムをコンピュータ１０にダウンロードし、プログラムを自動または手動で起動させる。
【００１２】
図２は、ＲＯＭ３０に記録されたプログラムの流れ図を示している。このプログラムには、はじめに、デジカメ２０から顔画像データを入力し（Ｓ１０１）、顔画像をコンピュータ１０のモニタに表示する（Ｓ１０２）処理手順が含まれている。
【００１３】
実施形態のプログラムは、次に部分または全体を選択する処理手順（Ｓ１０３、１０４）があり、この選択に従って、プログラムの流れは分岐するようになっている。ここで、部分とは、口、眼、鼻等の顔の一部分について美容指針を要求する場合であり、全体とは、顔の全体に付いて美容指針を要求する場合に対応させている。部分が要求されると、Ｓ２０１、２０２、・・・のステップで構成される流れに分岐し、全体が要求されると、Ｓ３０１、３０２、・・・のステップで構成される流れに分岐する。上記の、部分の要求を選択する場合、口、眼、鼻等、具体的な部分を選択できるようになっている。
【００１４】
部分の選択において、口の部分が選択された場合、モニタには、図３（ａ）のように口の部分の表示に変化して、下唇の下端に沿う演算軸線Ｘ１、下唇と上唇の境目に沿う演算軸線Ｘ２、上唇の上端に沿う演算軸線Ｘ３が順次表れる。そこで、演算軸線Ｘ１が表れたら、これを下唇の下端に沿う位置へドラッグして実効キーを押し、次に、演算軸線Ｘ２が表れたら、これを上下唇の境目にドラッグして実効キーを押し、最後に、演算軸線Ｘ３が表れたらこれを上唇の上端に沿う位置へドラッグして実効キーを押すようにして演算軸線を位置設定し、これをモニタ上に描画する（Ｓ２０１）。
【００１５】
このようにして、演算軸線Ｘ１、Ｘ２、Ｘ３の描画が完了した後、演算軸線Ｘ１、Ｘ２、Ｘ３のモニタ上の位置情報に基づいて上唇の上端から下端までの距離（図３（ａ）においてＡ）と、下唇の上端から下端までの距離（図３（ａ）においてＢ）の比、Ａ：Ｂを演算し（Ｓ２０２）、その結果をモニタ上に表示する（Ｓ２０３）。図の場合の結果は１：１であった。
【００１６】
そして、次に、図３（ｂ）に示すように、上記Ａ：Ｂの理想的な比率、即ち黄金分割の比率１：１．６１８の場合の演算軸線Ｘ１を移動表示する（Ｓ２０４）。したがって、美容指導員や消費者（化粧本人）は、この図３（ｂ）の結果を美しくなるための指針として利用することができる。測定がコンピュータのモニタ上で正確に行われる。また、美しくなるための指針も、モニタ上で具体的に表示される。
【００１７】
口紅を使う際には、下唇をルージュラインより少し大きめに描く、の如くの具体的で有効な指針を得ることができる。このような指針をモニタ上に表示するようにしても良い。上記においては、上唇の上端から下端までの距離を１として演算表示したが、下唇の上端から下端までの距離を１として演算して、演算軸線Ｘ３を移動表示（０．６１８の位置）するようにしても良い。その場合には、上唇をルージュラインよりも小さく描く、の如くの指針を得ることができる。
【００１８】
美容の指針を表示するのに加えて、図４のような画像を表示して、微笑を浮かべると上唇が細くなり、美しさと優雅な印象を与えることを知らせるようにしても良い。
【００１９】
部分の選択において、目の部分が選択された場合、図５中に示されている演算軸線Ｙ１、Ｙ２、Ｙ３、Ｙ４が順次表れる。そこで、演算軸線Ｙ１を図のように顔の左外郭に沿う位置に設定し、演算軸線Ｙ２を顔の右外郭に沿う位置に設定し、次いで、演算軸線Ｙ３を左の目尻に沿う位置に設定し、演算軸線Ｙ４を右の目尻に沿う位置に設定する（Ｓ２０１）。このようにして演算軸線Ｙ１〜Ｙ４の描画が完了すると、前記と同様にして、演算軸線Ｙ１〜Ｙ４の位置情報に基づいて左の目尻から右の目尻までの距離Ｎと、顔の左外郭から右外郭までの距離Ｏの比を演算表示する（Ｓ２０２，２０３）。
【００２０】
そして、次には、理想的な黄金分割の比率となるように演算軸線を移動表示する（Ｓ２０４）。また、アイブロー、アイライン、アイシャドウ、ファンデーション、頬紅等のグラデーションによる改善法のような美しくなるための指針を表示する。
【００２１】
更に、部分の選択において、鼻の部分が選択された場合、図５に表示されている演算軸線Ｙ５〜Ｙ８が順次表れる。そこで、演算軸線Ｙ５を左の小鼻に沿う位置に設定し、演算軸線Ｙ６を右の小鼻に沿う位置に設定し、次いで、演算軸線Ｙ７を左の口角の位置に設定し、演算軸線Ｙ８を右の口角の位置に設定する（Ｓ２０１）。演算軸線の描画が完了したら、演算軸線のモニタ上の位置情報に基づいて、左の小鼻から右の小鼻までの距離Ｌと、左の口角から右の口角までの距離Ｍの比を演算し、結果を表示する（Ｓ２０２，２０３）。
【００２２】
次には、同様に、理想的な黄金分割の比率となるように、演算軸線を移動表示する（Ｓ２０４）。そして、上記眼の場合と同様に、アイブロー、アイライン、アイシャドウ、ファンデーション、頬紅、口紅等のグラデーションによる改善法を表示する。このような改善法の表示は化粧の場合に有効なものであるが、現実の比率と黄金分割の比率の情報は、美容整形の分野や歯科矯正治療の分野において、美しくなるための指針として利用することが可能である。
【００２３】
更に部分の選択において、眉の部分がされた場合、図６に示すような演算軸線Ｙ６、Ｙ１０、Ｙ１２が順次表れる。そこで、演算軸線Ｙ６を小鼻に沿う位置、Ｙ１０を眉山βの位置、Ｙ１２を眉尻αの位置に設定描画する（Ｓ２０１）。描画が完了すると、眉尻αから眉山βまでの距離（図６においてＡ）と眉山βから眉頭γまでの距離（図６においてＢ）の比を演算して結果を表示する（Ｓ２０３）。図の例の場合、理想的な黄金分割の比率１：１．６１８である。演算した結果が理想的な比率でなかった場合には、理想的な比率となるように、演算軸線Ｙ６、Ｙ１０、Ｙ１２を移動して表示して、美しくなるための指針を提示する。
【００２４】
この場合、小鼻の外郭δと目頭εを結ぶ線上に演算軸線Ｙ６が位置すること、小鼻の外郭δと目尻θを結ぶ直線Ｚ２の延長上に眉尻αが位置すること、などを考慮することが望ましい。従って、演算軸線Ｙ６、Ｙ１０、Ｙ１２の移動表示も、この点を考慮して移動させるようにする。
【００２５】
また、図７に示すように、眉頭γが鼻梁に沿う直線Ｙ５−２付近に描かれている場合には、小鼻の外郭δと目頭εを結ぶ直線Ｙ５の線上に描くこと、眉山βが目頭に近いβ２に寄っている場合には、眉尻α側に移動させること、更には、眉尻αが、口角（図に表れていない）と目尻θを結ぶ直線付近のα２で終わっている場合には、小鼻の外郭δと目尻θを結ぶ直線Ｚ１の延長上のαの位置まで延ばすこと、なども更に考慮するのが望ましい。
【００２６】
以上の如くの部分の選択は、演算軸線の移動表示による美しくなるための指針が表示された後、終了か否かの問い合わせがなされ（Ｓ２０５）、終了が選択された場合にはプログラムが終了する。終了しない場合には、Ｓ１０３のステップに戻り、別の部分の選択や、全体の選択ができるようになっている。
【００２７】
次に、部分または全体の選択において、全体が選択された場合について説明する。全体が選択されると、図８に示すように、各種部分の比率を演算するための演算軸線Ｘ０、Ｘ１、・・・Ｙ１、Ｙ２・・・Ｚ１、Ｚ２・・・が順次表れる。そこで、演算軸線を所定の位置に設定し（Ｓ３０１）、設定された演算軸線の位置情報に基づいて比率を演算し（Ｓ３０２）、その結果を順次表示する（Ｓ３０３）。
【００２８】
この実施形態では、以下の部分の比率を順次演算して表示するようにしている。眼の中心から顎の下端までの距離（Ｂ＝１）：毛髪の生え際から顎の下端までの距離（Ａ＝１．１６８）
毛髪の生え際から鼻の下端までの距離（Ｃ＝１）：毛髪の生え際から顎の下端までの距離（Ａ＝１．１６８）
毛髪の生え際から眼の中心までの距離（Ｄ＝１）：眼の中心から顎の下端までの距離（Ｂ＝１．６１８）
鼻の下端から顎の下端までの距離（Ｅ＝１）：眼の中心から顎の下端までの距離（Ｂ＝１．６１８）
眼の中心から上唇の下端までの距離（Ｆ＝１）：眼の中心から顎の下端までの距離（Ｂ＝１．６１８）
鼻の下端から顎の下端までの距離（Ｅ＝１）：毛髪の生え際から鼻の下端までの距離（Ｃ＝１．６１８）
毛髪の生え際から眼の中心までの距離（Ｄ＝１）：毛髪の生え際から鼻の下端までの距離（Ｃ＝１．６１８）
眼の中心から上唇の下端までの距離（Ｆ＝１）：毛髪の生え際から鼻の下端までの距離（Ｃ＝１．６１８）
下唇の上端から顎の下端までの距離（Ｇ＝１）：眼の中心から上唇の下端までの距離（Ｆ＝１．６１８）
下唇の上端から顎の下端までの距離（Ｇ＝１）：鼻の下端から顎の下端までの距離（Ｅ＝１．６１８）
下唇の上端から顎の下端までの距離（Ｇ＝１）：毛髪の生え際から眼の中心までの距離（Ｄ＝１．６１８）
眼の中心から鼻の下端までの距離（Ｈ＝１）：鼻の下端から顎の下端までの距離（Ｅ＝１．６１８）
眼の中心から鼻の下端までの距離（Ｈ＝１）：毛髪の生え際から眼の中心までの距離（Ｄ＝１．６１８）
眼の中心から鼻の下端までの距離（Ｈ＝１）：眼の中心から上唇の下端までの距離（Ｆ＝１．６１８）
鼻の下端から上唇の下端までの距離（Ｉ＝１）：下唇の上端から顎の下端までの距離（Ｇ＝１．６１８）
鼻の下端から上唇の下端までの距離（Ｉ＝１）：眼の中心から鼻の下端までの距離（Ｈ＝１．６１８）
上唇の上端から下端までの距離（Ｊ＝１）：下唇の上端から下端までの距離（Ｋ＝１．６１８）
左の小鼻から右の小鼻までの距離（Ｌ＝１）：左の口角から右の口角までの距離（Ｍ＝１．６１８）
左の目尻から右の目尻までの距離（Ｎ＝１）：顔の左外郭から右外郭までの距離（Ｏ＝１．６１８）
眼の中心から顎の下端までの距離（Ｂ＝１）：毛髪の生え際から鼻の下端までの距離（Ｃ＝１）
毛髪の生え際から眼の中心までの距離（Ｄ＝１）：鼻の下端から顎の下端までの距離（Ｅ＝１）：眼の中心から上唇の下端までの距離（Ｆ＝１）
上唇の下端から顎の下端までの距離（Ｇ＝１）：眼の中心から鼻の下端までの距離（Ｈ＝１）
【００２９】
演算の結果は図９のような表として表示することができる。必要な演算軸線の描画を完了し（Ｓ３０４）、黄金分割のアイコンがクリックされた時には、図１０のように顔全体の理想的な比率の軸線と比率を表示する（Ｓ３０５）。
【００３０】
図１０の結果を美しくなるための指針とすることができる。即ち、美容指導員は、この指針に基づいて化粧のアドバイス、化粧品の紹介などをすることができる。化粧する本人が自ら、指針に基づいて化粧をすることもできる。
【００３１】
この発明の美容指針の提示方法は、以上のようなシステムとプログラムによって実施されるものであるが、プログラムには、更に、顔の時間的な変化を記録して経過を表示する処理手順、健康状態と化粧のチェックリストを関連づけて、主観性を定量化することにより客観性を向上させた情報を表示する処理手順、化粧と顔の開運情報を関連付けた情報を表示する処理手順、化粧とマッサージの方法を関連付けた情報を表示する処理手順などを加えるようにすることもできる。
【００３２】
【発明の効果】
以上に説明の通り、この発明によれば、顔の様々な部分の比率を正確に演算し、その結果及び理想的な比率の場合の情報を表示できるので、化粧に関する客観的で有効な情報を具体的に示すことができる。美容指導員が用いることで、消費者に適切なアドバイスを与えることができる。化粧する本人が使用することで、客観的な情報に基づいて自ら化粧することができ、満足感を与えることができる。
【図面の簡単な説明】
【図１】この発明の実施形態の美容指針提示システムの構成図である。
【図２】この発明の実施形態の美容指針提示方法を実行するプログラムの流れ図である。
【図３】（ａ）は、口の部分が選択された時の、演算軸線を描画した状態のモニタの図、（ｂ）は、演算軸線を理想的な比率の位置に移動した状態のモニタの図である。
【図４】口に関する美しくなるための指針の一例を示すモニタの図である。
【図５】眼の部分及び鼻の部分が選択された時に表れる演算軸線の図である。
【図６】眉の部分が選択された時の、演算軸線を描画した状態の図である。
【図７】眉の部分が選択された時の、美しくなるための指針を表示する際に考慮する点の説明図である。
【図８】全体が選択された時に表れる演算軸線の説明図である。
【図９】顔の各種部分の比率が演算されて表示される表の図である。
【図１０】顔全体の黄金分割の比率の位置に演算軸線を移動して表示したモニタの図である。
【符号の説明】
１０      パーソナルコンピュータ
２０      デジカメ
３０      ＲＯＭ
【図１】
2005062960.tif 000003
【図２】
2005062960.tif 000004
【図３】
2005062960.tif 000005
【図４】
2005062960.tif 000006
【図５】
2005062960.tif 000007
【図６】
2005062960.tif 000008
【図７】
2005062960.tif 000009
【図８】
2005062960.tif 000010
【図９】
2005062960.tif 000011
【図１０】
2005062960.tif 000012
【手続補正書】
【提出日】平成16年9月7日(2004.9.7)
【手続補正１】
【補正対象書類名】明細書
【補正対象項目名】全文
【補正方法】変更
【補正の内容】
【特許請求の範囲】
【請求項１】記録媒体に記録されたプログラムを実行するコンピュータと、コンピュータに接続されたモニタと、顔画像をコンピュータに入力する手段とを備え、
前記プログラムを、
ａ．顔画像データを前記顔画像をコンピュータに入力する手段から取り込んで、顔画像を 前記モニタに表示する処理手順と、
ｂ．複数の演算軸線をモニタ上の顔画像に重ねて描画する処理手順と、
ｃ．複数の演算軸線のモニタ上の位置情報に基づいて演算軸線間の距離の比率を演算する 処理手順と、
ｄ．演算した結果をモニタに出力する処理手順と、
ｅ．複数の演算軸線の演算軸線間の距離の比率が予め定めた比率となるように演算軸線を 移動させる処理手順と、
で構成したシステムを用い、
コンピュータが前記ａの処理手順によって顔画像データをコンピュータに取り込んで顔画像をモニタに表示し、
コンピュータが前記ｂの処理手順によって、顔の、上唇の上端から下端までの距離と下唇の上端から下端までの距離の比、眼の中心から顎の下端までの距離と毛髪の生え際から顎の下端までの距離の比、左の小鼻から右の小鼻までの距離と左の口角から右の口角までの距離の比、・・・等、顔の縦方向または横方向の各種比率を求めるのに必要な複数の演算軸線をモニタ上の顔画像に重ねて描画し、
コンピュータが前記ｃの処理手順によって、モニタ上に描画された演算軸線の位置情報に基づいて前記各種比率を演算し、
コンピュータが前記ｄの処理手順によって、ｃの処理手順で得られた演算結果をモニタに表示し、
次いでコンピュータが前記ｅの処理手順によって、モニタ上に描画された複数の演算軸線の演算軸線間の距離の比率が予め定めた比率となるように演算軸線を移動させ、演算された比率と、移動した演算軸線の位置を美しくなるための指針とすることを特徴とする美容指針提示方法。
【請求項２】請求項１の美容指針提示方法の処理手順をコンピュータが実行するためのプログラムを記録した記録媒体であって、
ａ．顔画像データを前記顔画像をコンピュータに入力する手段から取り込んで、顔画像を 前記モニタに表示する処理手順と、
ｂ．複数の演算軸線をモニタ上の顔画像に重ねて描画する処理手順と、
ｃ．複数の演算軸線のモニタ上の位置情報に基づいて演算軸線間の距離の比率を演算する 処理手順と、
ｄ．演算した結果をモニタに出力する処理手順と、
ｅ．複数の演算軸線の演算軸線間の距離の比率が予め定めた比率となるように演算軸線を 移動させる処理手順と、
をコンピュータが実行するためのプログラムが記録されている記録媒体。
【請求項３】記録媒体に記録されたプログラムを実行するコンピュータと、顔画像を表示するモニタと、顔画像をコンピュータに入力する手段とを備えており、前記プログラムが請求項２の処理手順を含んでいることを特徴とする美容指針提示システム。
【発明の詳細な説明】
【０００１】
【発明の属する技術分野】
この発明は、美容指針を提示する方法、この方法をコンピュータが実行するためのプログラムを記録した記録媒体及び美容指針を提示するシステムに関する。顔の化粧の分野の他、美容整形の分野や歯科矯正の分野で利用することができる。
【０００２】
【従来の技術】
従来、例えば、上唇と下唇の比率は、美容界における黄金分割、即ち１：１．６１８である時に最も美しいことを伝えるとされている。このような理想的な予め定めた比率を化粧によって実現する場合、従来はデバイダのような計測器具を用いて測定して、測定された値に基づいて美しくなるための指針を口頭で提供している。
【０００３】
【発明が解決しようとする課題】
しかしながら、デバイダのような計測器具による測定では正確性に欠け、また、そのような測定による値に基づく指針では、視覚上の具体性に欠けるものであった。
【０００４】
この発明は、このような問題点に鑑みてなされたもので、美しくなるための指針を視覚的に表示できるようにした美容指針提示方法、記録媒体及び美容指針提示システムを提供することを目的としている。
【０００５】
【課題を解決するための手段】
このような目的のもとになされたこの発明の美容指針提示方法（請求項１）は、記録媒体に記録されたプログラムを実行するコンピュータと、コンピュータに接続されたモニタと、顔画像をコンピュータに入力する手段とを備え、
前記プログラムを、
ａ．顔画像データを前記顔画像をコンピュータに入力する手段から取り込んで、顔画像を 前記モニタに表示する処理手順と、
ｂ．複数の演算軸線をモニタ上の顔画像に重ねて描画する処理手順と、
ｃ．複数の演算軸線のモニタ上の位置情報に基づいて演算軸線間の距離の比率を演算する 処理手順と、
ｄ．演算した結果をモニタに出力する処理手順と、
ｅ．複数の演算軸線の演算軸線間の距離の比率が予め定めた比率となるように演算軸線を 移動させる処理手順と、
で構成したシステムを用い、
コンピュータが前記ａの処理手順によって顔画像データをコンピュータに取り込んで顔画像をモニタに表示し、
コンピュータが前記ｂの処理手順によって、顔の、上唇の上端から下端までの距離と下唇の上端から下端までの距離の比、眼の中心から顎の下端までの距離と毛髪の生え際から顎の下端までの距離の比、左の小鼻から右の小鼻までの距離と左の口角から右の口角までの距離の比、・・・等、顔の縦方向または横方向の各種比率を求めるのに必要な複数の演算軸線をモニタ上の顔画像に重ねて描画し、
コンピュータが前記ｃの処理手順によって、モニタ上に描画された演算軸線の位置情報に基づいて前記各種比率を演算し、
コンピュータが前記ｄの処理手順によって、ｃの処理手順で得られた演算結果をモニタに表示し、
次いでコンピュータが前記ｅの処理手順によって、モニタ上に描画された複数の演算軸線の演算軸線間の距離の比率が予め定めた比率となるように演算軸線を移動させ、演算された比率と、移動した演算軸線の位置を美しくなるための指針とすることを特徴とする美容指針提示方法である。
【０００６】
また、この発明の記録媒体（請求項２）は、請求項１の美容指針提示方法の処理手順をコンピュータが実行するためのプログラムを記録した記録媒体であって、
ａ．顔画像データを前記顔画像をコンピュータに入力する手段から取り込んで、顔画像を 前記モニタに表示する処理手順と、
ｂ．複数の演算軸線をモニタ上の顔画像に重ねて描画する処理手順と、
ｃ．複数の演算軸線のモニタ上の位置情報に基づいて演算軸線間の距離の比率を演算する 処理手順と、
ｄ．演算した結果をモニタに出力する処理手順と、
ｅ．複数の演算軸線の演算軸線間の距離の比率が予め定めた比率となるように演算軸線を移動させる処理手順と、
をコンピュータが実行するためのプログラムが記録されている記録媒体である。
【０００７】
更に、この発明の美容指針提示システム（請求項３）は、記録媒体に記録されたプログラムを実行するコンピュータと、顔画像を表示するモニタと、顔画像をコンピュータに入力する手段とを備えており、前記プログラムが請求項２の処理手順を含んでいることを特徴とする美容指針提示システムである。
【０００８】
【作用】
このように構成されるこの発明によれば、顔画像をコンピュータのモニタ上に表示し、顔の縦方向または横方向の各種比率も顔画像が表示されたモニタ上で演算するので正確な測定が可能である。また、美しくなるための指針もモニタ上で表示するので視覚上具体的であり、有効な情報を与えることができる。
【０００９】
【発明の実施の形態】
以下、この発明の実施の形態を図を参照しながら説明する。
【００１０】
図１は、実施形態の美容指針提示システムの構成を示している。パーソナルコンピュータ（以下、コンピュータという）１０と、顔画像データをコンピュータ１０に入力する手段であるデジカメ２０と、ＲＯＭ３０とで構成されている。デジカメ２０は、顔画像データをデジタル情報として入力する手段であって、アナログ写真のデータを取り込むスキャナとしても良い。ＲＯＭ３０は、この発明の美容指針提示方法の処理手順をコンピュータ１０が実行するためのプログラムが記録された記録媒体であって、ＣＤ、ＤＶＤ、フレキシブルディスクなどの各種記録媒体のうちの何れかとすることができる。
【００１１】
美容指針提示方法を実施するに当たっては、ＲＯＭ３０に記録されたプログラムをコンピュータ１０にダウンロードし、プログラムを自動または手動で起動させる。
【００１２】
図２は、ＲＯＭ３０に記録されたプログラムの流れ図を示している。このプログラムには、はじめに、顔画像データを入力するデジカメ２０から取り込んで（Ｓ１０１）、顔画像をコンピュータ１０のモニタに表示する（S１０２）処理手順が含まれている。
【００１３】
実施形態のプログラムは、次に部分または全体を選択する処理手順（Ｓ１０３、１０４）があり、この選択に従って、プログラムの流れは分岐するようになっている。ここで、部分とは、口、眼、鼻等の顔の一部分について美容指針を要求する場合であり、全体とは、顔の全体に付いて美容指針を要求する場合に対応させている。部分が要求されると、Ｓ２０１、２０２、・・・のステップで構成される流れに分岐し、全体が要求されると、Ｓ３０１、３０２、・・・のステップで構成される流れに分岐する。上記の、部分の要求を選択する場合、口、眼、鼻等、具体的な部分を選択できるようになっている。
【００１４】
部分の選択において、口の部分が選択された場合、モニタには、図３（ａ）のように口の部分の表示に変化して、複数の演算軸線、即ち下唇の下端に沿う演算軸線Ｘ１、下唇と上唇の境目に沿う演算軸線Ｘ２、上唇の上端に沿う演算軸線Ｘ３が順次表れる。そこで、演算軸線Ｘ１が表れたら、これを下唇の下端に沿う位置へドラッグして実効キーを押し、次に、演算軸線Ｘ２が表れたら、これを上下唇の境目にドラッグして実効キーを押し、最後に、演算軸線Ｘ３が表れたらこれを上唇の上端に沿う位置へドラッグして実効キーを押すようにして演算軸線を位置設定し、これをモニタ上に描画する（S２０１）。
【００１５】
このようにして、演算軸線Ｘ１、Ｘ２、Ｘ３の描画が完了した後、演算軸線Ｘ１、Ｘ２、Ｘ３のモニタ上の位置情報に基づいて、複数の演算軸線間の距離の比、即ち上唇の上端から下端までの距離（図３（ａ）においてＡ）と、下唇の上端から下端までの距離（図３（ａ）においてＢ）の比、Ａ：Ｂを演算し（Ｓ２０２）、その結果をモニタ上に表示する（Ｓ２０３）。図の場合の結果は１：１であった。
【００１６】
そして、次に、図３（ｂ）に示すように、上記Ａ：Ｂの予め定められた理想的な比率、即ち黄金分割の比率１：１．６１８の場合の演算軸線Ｘ１を移動させる（Ｓ２０４）。したがって、美容指導員や消費者（化粧本人）は、この図３（ｂ）の結果を美しくなるための指針として利用することができる。測定がコンピュータのモニタ上で正確に行われる。また、美しくなるための指針も、モニタ上で具体的に表示される。
【００１７】
口紅を使う際には、下唇をルージュラインより少し大きめに描く、の如くの具体的で有効な指針を得ることができる。このような指針をモニタ上に表示するようにしても良い。上記においては、上唇の上端から下端までの距離を１として演算表示したが、下唇の上端から下端までの距離を１として演算して、演算軸線Ｘ３を移動表示（０．６１８の位置）するようにしても良い。その場合には、上唇をルージュラインよりも小さく描く、の如くの指針を得ることができる。
【００１８】
美容の指針を表示するのに加えて、図４のように顔画像データを加工して表示し、例えば微笑を浮かべると上唇が細くなり、美しさと優雅な印象を与えることを知らせるようにしても良い。
【００１９】
部分の選択において、目の部分が選択された場合、図５中に示されている演算軸線Ｙ１、Ｙ２、Ｙ３、Ｙ４の複数の演算軸線が順次表れる。そこで、演算軸線Ｙ１を図のように顔の左外郭に沿う位置に設定し、演算軸線Ｙ２を顔の右外郭に沿う位置に設定し、次いで、演算軸線Ｙ３を左の目尻に沿う位置に設定し、演算軸線Ｙ４を右の目尻に沿う位置に設定する（Ｓ２０１）。このようにして演算軸線Ｙ１〜Ｙ４の描画が完了すると、前記と同様にして、演算軸線Ｙ１〜Ｙ４の位置情報に基づいて演算軸線間の距離の比から左の目尻から右の目尻までの距離Ｎと、顔の左外郭から右外郭までの距離Ｏの比を演算表示する（Ｓ２０２，２０３）。
【００２０】
そして、次には、理想的な黄金分割の比率、即ち予め定めた比率となるように演算軸線を移動させる（Ｓ２０４）。また、アイブロー、アイライン、アイシャドウ、ファンデーション、頬紅等のグラデーションによる改善法のような美しくなるための指針を表示する。
【００２１】
更に、部分の選択において、鼻の部分が選択された場合、図５に表示されている複数の演算軸線Ｙ５〜Ｙ８が順次表れる。そこで、演算軸線Ｙ５を左の小鼻に沿う位置に設定し、演算軸線Ｙ６を右の小鼻に沿う位置に設定し、次いで、演算軸線Ｙ７を左の口角の位置に設定し、演算軸線Ｙ８を右の口角の位置に設定する（Ｓ２０１）。演算軸線の描画が完了したら、演算軸線のモニタ上の位置情報に基づいて演算軸線間の距離の比率を求め、左の小鼻から右の小鼻までの距離Ｌと、左の口角から右の口角までの距離Ｍの比を演算し、結果を表示する（Ｓ２０２，２０３）。
【００２２】
次には、同様に、理想的な黄金分割の比率、即ち予め定めた比率となるように、演算軸線を移動させる（Ｓ２０４）。そして、上記眼の場合と同様に、アイブロー、アイライン、アイシャドウ、ファンデーション、頬紅、口紅等のグラデーションによる改善法を表示する。このような改善法の表示は化粧の場合に有効なものであるが、現実の比率と黄金分割の比率等の理想的な比率の情報は、美容整形の分野や歯科矯正治療の分野において、美しくなるための指針として利用することが可能である。
【００２３】
更に部分の選択において、眉の部分がされた場合、図６に示すような複数の演算軸線Ｙ６、Ｙ１０、Ｙ１２が順次表れる。そこで、演算軸線Ｙ６を小鼻に沿う位置、Ｙ１０を眉山βの位置、Ｙ１２を眉尻αの位置に設定描画する（Ｓ２０１）。描画が完了すると、演算軸線間の距離の比率に基づいて眉尻αから眉山βまでの距離（図６においてＡ）と眉山βから眉頭γまでの距離（図６においてＢ）の比を演算して結果を表示する（Ｓ２０３）。図の例の場合、理想的な黄金分割の比率１：１．６１８である。演算した結果が予め定めた理想的な比率でなかった場合には、予め定めた理想的な比率となるように、演算軸線Ｙ６、Ｙ１０、Ｙ１２を移動させて、美しくなるための指針を提示する。
【００２４】
この場合、小鼻の外郭δと目頭εを結ぶ線上に演算軸線Ｙ６が位置すること、小鼻の外郭δと目尻θを結ぶ直線Ｚ２の延長上に眉尻αが位置すること、などを考慮することが望ましい。従って、演算軸線Ｙ６、Ｙ１０、Ｙ１２の移動も、この点を考慮して移動させるようにする。
【００２５】
また、図７に示すように、眉頭γが鼻梁に沿う直線Ｙ５−２付近に描かれている場合には、小鼻の外郭δと目頭εを結ぶ直線Ｙ５の線上に描くこと、眉山βが目頭に近いβ２に寄っている場合には、眉尻α側に移動させること、更には、眉尻αが、口角（図に表れていない）と目尻θを結ぶ直線付近のα２で終わっている場合には、小鼻の外郭δと目尻θを結ぶ直線Ｚ１の延長上のαの位置まで延ばすこと、なども更に考慮するのが望ましい。
【００２６】
以上の如くの部分の選択は、演算軸線の移動による美しくなるための指針が表示された後、終了か否かの問い合わせがなされ（Ｓ２０５）、終了が選択された場合にはプログラムが終了する。終了しない場合には、Ｓ１０３のステップに戻り、別の部分の選択や、全体の選択ができるようになっている。
【００２７】
次に、部分または全体の選択において、全体が選択された場合について説明する。全体が選択されると、図８に示すように、各種部分の比率を演算するための複数の演算軸線Ｘ０、Ｘ１、・・・Ｙ１、Ｙ２・・・Ｚ１、Ｚ２・・・が順次表れる。そこで、各演算軸線を所定の位置に設定し（Ｓ３０１）、設定された演算軸線の位置情報に基づいて演算軸線間の距離の比率を演算し（Ｓ３０２）、その結果を順次表示する（Ｓ３０３）。
【００２８】
この実施形態では、以下の部分の比率を順次演算して表示するようにしている。
眼の中心から顎の下端までの距離（Ｂ＝１）：毛髪の生え際から顎の下端までの距離（Ａ＝１．１６８）
毛髪の生え際から鼻の下端までの距離（Ｃ＝１）：毛髪の生え際から顎の下端までの距離（Ａ＝１．１６８）
毛髪の生え際から眼の中心までの距離（Ｄ＝１）：眼の中心から顎の下端までの距離（Ｂ＝１．６１８）
鼻の下端から顎の下端までの距離（Ｅ＝１）：眼の中心から顎の下端までの距離（Ｂ＝１．６１８）
眼の中心から上唇の下端までの距離（Ｆ＝１）：眼の中心から顎の下端までの距離（Ｂ＝１．６１８）
鼻の下端から顎の下端までの距離（Ｅ＝１）：毛髪の生え際から鼻の下端までの距離（Ｃ＝１．６１８）
毛髪の生え際から眼の中心までの距離（Ｄ＝１）：毛髪の生え際から鼻の下端までの距離（Ｃ＝１．６１８）
眼の中心から上唇の下端までの距離（Ｆ＝１）：毛髪の生え際から鼻の下端までの距離（Ｃ＝１．６１８）
下唇の上端から顎の下端までの距離（Ｇ＝１）：眼の中心から上唇の下端までの距離（Ｆ＝１．６１８）
下唇の上端から顎の下端までの距離（Ｇ＝１）：鼻の下端から顎の下端までの距離（Ｅ＝１．６１８）
下唇の上端から顎の下端までの距離（Ｇ＝１）：毛髪の生え際から眼の中心までの距離（Ｄ＝１．６１８）
眼の中心から鼻の下端までの距離（Ｈ＝１）：鼻の下端から顎の下端までの距離（Ｅ＝１．６１８）
眼の中心から鼻の下端までの距離（Ｈ＝１）：毛髪の生え際から眼の中心までの距離（Ｄ＝１．６１８）
眼の中心から鼻の下端までの距離（Ｈ＝１）：眼の中心から上唇の下端までの距離（Ｆ＝１．６１８）
鼻の下端から上唇の下端までの距離（Ｉ＝１）：下唇の上端から顎の下端までの距離（Ｇ＝１．６１８）
鼻の下端から上唇の下端までの距離（Ｉ＝１）：眼の中心から鼻の下端までの距離（Ｈ＝１．６１８）
上唇の上端から下端までの距離（Ｊ＝１）：下唇の上端から下端までの距離（Ｋ＝１．６１８）
左の小鼻から右の小鼻までの距離（Ｌ＝１）：左の口角から右の口角までの距離（Ｍ＝１．６１８）
左の目尻から右の目尻までの距離（Ｎ＝１）：顔の左外郭から右外郭までの距離（Ｏ＝１．６１８）
眼の中心から顎の下端までの距離（Ｂ＝１）：毛髪の生え際から鼻の下端までの距離（Ｃ＝１）
毛髪の生え際から眼の中心までの距離（Ｄ＝１）：鼻の下端から顎の下端までの距離（Ｅ＝１）：眼の中心から上唇の下端までの距離（Ｆ＝１）
上唇の下端から顎の下端までの距離（Ｇ＝１）：眼の中心から鼻の下端までの距離（Ｈ＝１）
【００２９】
演算の結果は図９のような表として表示することができる。必要な演算軸線の描画を完了し（Ｓ３０４）、黄金分割のアイコンがクリックされた時には、図１０のように顔全体に対して、演算軸線間の距離の比率が予め定めた理想的な比率となるように各演算軸線を移動させ、かつ理想的な比率を表示する（Ｓ３０５）。
【００３０】
図１０の結果を美しくなるための指針とすることができる。即ち、美容指導員は、この指針に基づいて化粧のアドバイス、化粧品の紹介などをすることができる。化粧する本人が自ら、指針に基づいて化粧をすることもできる。
【００３１】
この発明の美容指針の提示方法は、以上のようなシステムとプログラムによって実施されるものであるが、プログラムには、更に、顔の時間的な変化を記録して経過を表示する処理手順、健康状態と化粧のチェックリストを関連づけて、主観性を定量化することにより客観性を向上させた情報を表示する処理手順、化粧と顔の開運情報を関連付けた情報を表示する処理手順、化粧とマッサージの方法を関連付けた情報を表示する処理手順などを加えるようにすることもできる。
【００３２】
【発明の効果】
以上に説明の通り、この発明によれば、顔の様々な部分の比率をコンピュータが正確に演算し、その結果及び予め定めた理想的な比率の場合の情報を演算軸線を移動させて表示できるので、化粧に関する客観的で有効な情報を具体的に示すことができる。美容指導員が用いることで、消費者に適切なアドバイスを与えることができる。化粧する本人が使用することで、客観的な情報に基づいて自ら化粧することができ、満足感を与えることができる。
【図面の簡単な説明】
【図１】この発明の実施形態の美容指針提示システムの構成図である。
【図２】この発明の実施形態の美容指針提示方法を実行するプログラムの流れ図である。
【図３】（ａ）は、口の部分が選択された時の、演算軸線を描画した状態のモニタの図、（ｂ）は、演算軸線を理想的な比率の位置に移動した状態のモニタの図である。
【図４】口に関する美しくなるための指針の一例を示すモニタの図である。
【図５】眼の部分及び鼻の部分が選択された時に表れる演算軸線の図である。
【図６】眉の部分が選択された時の、演算軸線を描画した状態の図である。
【図７】眉の部分が選択された時の、美しくなるための指針を表示する際に考慮する点の説明図である。
【図８】全体が選択された時に表れる演算軸線の説明図である。
【図９】顔の各種部分の比率が演算されて表示される表の図である。
【図１０】顔全体の黄金分割の比率の位置に演算軸線を移動して表示したモニタの図である。
【符号の説明】
１０      パーソナルコンピュータ
２０      デジカメ
３０      ＲＯＭ